(57)【要約】【課題】剛性基板の端部が筐体に対して位置決めされている場合と比して、一方向に延びている導光体の一方向における長さが変わった場合でも、発光素子が導光体の端面に対して傾くのを抑制することができる発光装置、画像読取装置及び画像形成装置を得る。【解決手段】発光素子が実装された剛性基板は、筐体に対して一方向に移動可能とされている。そして、押付部材が、剛性基板を介して導光体の端面に発光素子を押し付ける。【選択図】図１
2019114826.tif 000002
【特許請求の範囲】
【請求項１】
一方向に延び、該一方向に伸縮可能に筐体に固定された導光体と、 
該導光体の端面に対向して配置され、該導光体の端面に光を照射する発光素子と、
該発光素子を挟んで該導光体の反対側に配置され、該発光素子が実装され、該筐体に対して該一方向に移動可能とされている剛性基板と、 
該剛性基板を介して、該導光体の端面に該発光素子を押し付ける押付部材と、
を備える発光装置。
【請求項２】
前記導光体は、一対設けられ、一対の前記導光体は、前記一方向に対して交差する交差方向に並んで配置されており、
前記剛性基板には、一対の前記導光体の端面に光を照射する一対の前記発光素子が実装されており、
前記押付部材は、前記剛性基板と三部位以上で接触して、前記剛性基板を介して前記導光体の端面に前記発光素子を夫々押し付ける請求項１に記載の発光装置。
【請求項３】
前記交差方向において一対の前記導光体の中間点を通り、かつ、前記交差方向を向く面を基準面とすると、
前記押付部材が前記剛性基板と接触する一の接触部と、前記押付部材が前記剛性基板と接触する他の接触部とは、前記基準面に対して対称に配置されている請求項２に記載の発光装置。
【請求項４】
前記一方向から見て、前記一の接触部は、一の前記導光体の端面における縁の内側に配置されており、前記一方向から見て、前記他の接触部は、他の前記導光体の端面における縁の内側に配置されている請求項３に記載の発光装置。
【請求項５】
前記発光素子は、光を照射する発光部と、前記発光部を封止している封止部材と、前記発光部を挟んで前記導光体の反対側に配置され、前記発光部及び封止部材を支持している支持部材と、を有し、
前記支持部材には、前記導光体側に突出している突出部が形成されており、
前記押付部材が、前記剛性基板を介して、前記導光体の端面に前記発光素子を押し付けている状態で、前記導光体の端面に前記突出部の先端が接触し、かつ、前記封止部材と前記導光体の端面との間に、空隙が形成されている請求項１〜４の何れか１項に記載の発光装置。
【請求項６】
前記空隙と前記発光素子の外部とをつなぐ隙間が形成されている請求項５に記載の発光装置。
【請求項７】
請求項１〜６の何れか１項に記載の発光装置と、
前記一方向に並べられた複数の受光素子と、
前記一方向に延び、前記発光素子によって発光されて、画像が形成されている対象物から反射された光を前記受光素子に案内する案内部材と、
を備える画像読取装置。
【請求項８】
請求項７に記載の画像読取装置と、
前記画像読取装置で読み取られた画像情報に基づいて画像を形成する画像形成部と、
を備える画像形成装置。
【発明の詳細な説明】
【技術分野】
【０００１】
本発明は、発光装置、画像読取装置、及び画像形成装置に関する。
【背景技術】
【０００２】
特許文献１には、光電変換素子が実装されたセンサ基板の両端部に、ＬＥＤ発光素子が実装されたＬＥＤ基板がフレキシブル基板を介して接続されたライン光源ユニットが記載されている。
【先行技術文献】
【特許文献】
【０００３】
【特許文献１】特開２００７−２５１３５３号公報
【発明の概要】
【発明が解決しようとする課題】
【０００４】
発光装置は、一方向に延びた円柱状の導光体と、導光体の端面と接触し、この導光体の端面に向けて光を照射する発光素子と、発光素子が実装されている剛性基板と、これらの部品を収容する筐体とを備えている。 ここで、温度の変化等によって一方向における導光体の長さが変わってしまい、発光素子が実装された剛性基板が導光体の端面に対して傾いてしまうことがある。つまり、発光素子（の光軸）が導光体（の軸）に対して傾いてしまうことがある。 
【０００５】
本発明の課題は、剛性基板の端部が筐体に対して位置決めされている場合と比して、一方向に延びている導光体の一方向における長さが変わった場合でも、発光素子が導光体の端面に対して傾くのを抑制することである。
【課題を解決するための手段】
【０００６】
本発明の請求項１に係る発光装置は、一方向に延び、該一方向に伸縮可能に筐体に固定された導光体と、該導光体の端面に対向して配置され、該導光体の端面に光を照射する発光素子と、該発光素子を挟んで該導光体の反対側に配置され、該発光素子が実装され、該筐体に対して該一方向に移動可能とされている剛性基板と、該剛性基板を介して、該導光体の端面に該発光素子を押し付ける押付部材と、を備えることを特徴とする。
【０００７】
本発明の請求項２に係る発光装置は、請求項１に記載の発光装置において、前記導光体は、一対設けられ、一対の前記導光体は、前記一方向に対して交差する交差方向に並んで配置されており、前記剛性基板には、一対の前記導光体の端面に光を照射する一対の前記発光素子が実装されており、前記押付部材は、前記剛性基板と三部位以上で接触して、前記剛性基板を介して前記導光体の端面に前記発光素子を夫々押し付けることを特徴とする。
【０００８】
本発明の請求項３に係る発光装置は、請求項２に記載の発光装置において、前記交差方向において一対の前記導光体の中間点を通り、かつ、前記交差方向を向く面を基準面とすると、前記押付部材が前記剛性基板と接触する一の接触部と、前記押付部材が前記剛性基板と接触する他の接触部とは、前記基準面に対して対称に配置されていることを特徴とする。
【０００９】
本発明の請求項４に係る発光装置は、請求項３に記載の発光装置において、前記一方向から見て、前記一の接触部は、一の前記導光体の端面における縁の内側に配置されており、前記一方向から見て、前記他の接触部は、他の前記導光体の端面における縁の内側に配置されていることを特徴とする。
【００１０】
本発明の請求項５に係る発光装置は、請求項１〜４の何れか１項に記載の発光装置において、前記発光素子は、光を照射する発光部と、前記発光部を封止している封止部材と、前記発光部を挟んで前記導光体の反対側に配置され、前記発光部及び封止部材を支持している支持部材と、を有し、前記支持部材には、前記導光体側に突出している突出部が形成されており、前記押付部材が、前記剛性基板を介して、前記導光体の端面に前記発光素子を押し付けている状態で、前記導光体の端面に前記突出部の先端が接触し、かつ、前記封止部材と前記導光体の端面との間に、空隙が形成されていることを特徴とする。
【００１１】
本発明の請求項６に係る発光装置は、請求項５に記載の発光装置において、前記空隙と前記発光素子の外部とをつなぐ隙間が形成されていることを特徴とする。
【００１２】
本発明の請求項７に係る画像読取装置は、請求項１〜６の何れか１項に記載の発光装置と、前記一方向に並べられた複数の受光素子と、前記一方向に延び、前記発光素子によって発光されて、画像が形成されている対象物から反射された光を前記受光素子に案内する案内部材と、を備えることを特徴とする。
【００１３】
本発明の請求項８に係る画像形成装置は、請求項７に記載の画像読取装置と、前記画像読取装置で読み取られた画像情報に基づいて画像を形成する画像形成部と、を備えることを特徴とする。
【発明の効果】
【００１４】
本発明の請求項１の発光装置によれば、剛性基板の端部が筐体に対して位置決めされている場合と比して、一方向に延びている導光体の一方向における長さが変わった場合でも、発光素子が導光体の端面に対して傾くのを抑制することができる。
【００１５】
本発明の請求項２の発光装置によれば、押付部材が、剛性基板と一部位又は二部位で接触している場合と比して、一方向に延びている導光体の一方向における長さが変わった場合でも、発光素子が導光体の端面に対して傾くのを抑制することができる。
【００１６】
本発明の請求項３の発光装置によれば、全ての接触部が、基準面に対して一方側に配置されている場合と比して、一方向に延びている導光体の一方向における長さが変わった場合でも、発光素子が導光体の端面に対して傾くのを抑制することができる。
【００１７】
本発明の請求項４の発光装置によれば、一方向から見て、全ての接触部が導光体の端面における縁の外側に配置されている場合と比して、剛性基板が撓むのを抑制した上で、発光素子が導光体の端面に対して傾くのを抑制することができる。
【００１８】
本発明の請求項５の発光装置によれば、押付部材が導光体の端面に発光素子を押し付けている状態で、導光体の端面に封止部材が接触する場合と比して、封止部材の変形を抑制することができる。
【００１９】
本発明の請求項６の発光装置によれば、封止部材と導光体の端面との間に形成された空隙が閉じられている場合と比して、発光部の温度上昇を抑制することができる。
【００２０】
本発明の請求項７の画像読取装置によれば、請求項１〜６の何れか１項に記載の発光装置を備えていない場合と比して、画像を読み取る読取精度が低くなるのを抑制することができる。
【００２１】
本発明の請求項８の画像形成装置によれば、請求項７に記載の画像読取装置を備えていない場合と比して、出力画像の品質が低くなるのを抑制することができる。
【図面の簡単な説明】
【００２２】
【図１】本発明の第１実施形態に係る画像読取装置及び発光装置を示した断面図である。
【図２】（Ａ）（Ｂ）本発明の第１実施形態に係る画像読取装置及び発光装置を示した断面図である。
【図３】本発明の第１実施形態に係る画像読取装置及び発光装置を示した正面図である。
【図４】本発明の第１実施形態に係る発光装置の押付部材を示した斜視図である。
【図５】本発明の第１実施形態に係る発光装置の押付部材、剛性基板、導光体等を示した斜視図である。
【図６】本発明の第１実施形態に係る発光装置の発光素子等を示した断面図である。
【図７】本発明の第１実施形態に係る発光装置の発光素子等を示した正面図である。
【図８】本発明の第１実施形態に係る画像読取装置を示した断面図である。
【図９】本発明の第１実施形態に係る画像読取装置等を示した分解斜視図である。
【図１０】本発明の第１実施形態に係る発光装置の剛性基板を定義するために用いた説明図である。
【図１１】本発明の第１実施形態に係る画像読取装置等を示した斜視図である。
【図１２】本発明の第１実施形態に係る画像形成装置の画像読取部を示した断面図である。
【図１３】本発明の第１実施形態に係る画像形成装置の画像読取部を示した斜視図である。
【図１４】本発明の第１実施形態に係る画像形成装置の画像読取部を示した斜視図である。
【図１５】本発明の第１実施形態に係る画像形成装置の画像読取部を示した正面図である。
【図１６】本発明の第１実施形態に係る画像形成装置の画像読取部を示した正面図である。
【図１７】本発明の第１実施形態に係る画像形成装置を示した概略構成図である。
【図１８】（Ａ）（Ｂ）（Ｃ）本発明の第１実施形態に対する第１比較形態に係る発光装置を示した断面図である。
【図１９】本発明の第１実施形態に対する第２比較形態に係る発光装置を示した断面図である。
【図２０】本発明の第２実施形態に係る発光装置等を示した正面図である。
【図２１】本発明の第１実施形態に係る発光装置の変形例を示した斜視図である
【発明を実施するための形態】
【００２３】
＜第１実施形態＞
本発明の第１実施形態に係る発光装置、画像読取装置、及び画像形成装置の一例を図１〜図１９に従って説明する。なお、図中に示す矢印Ｈは装置上下方向（鉛直方向）を示し、矢印Ｗは装置幅方向（水平方向）を示し、矢印Ｄは装置奥行方向（水平方向）を示す。
【００２４】
（全体構成）
図１７に示されるように、第１実施形態に係る画像形成装置１０には、上下方向（矢印Ｈ方向）の下方から上方へ向けて、記録媒体としてのシート部材Ｐが収容される収容部１４と、収容部１４に収容されたシート部材Ｐを搬送する搬送部１６と、収容部１４から搬送部１６によって搬送されるシート部材Ｐに画像形成を行う画像形成部２０と、原稿Ｇに形成された画像を読み取る画像読取部６０とが、この順で備えられている。
【００２５】
〔収容部〕
収容部１４には、画像形成装置１０の筐体１０Ａから装置奥行方向の手前側に引き出し可能な収容部材２６が備えられており、この収容部材２６にシート部材Ｐが積載されている。さらに、収容部１４には、収容部材２６に積載された最上位のシート部材Ｐを、搬送部１６を構成する搬送経路２８に送り出す送出ロール３０が備えられている。
【００２６】
〔搬送部〕
搬送部１６には、搬送経路２８に沿ってシート部材Ｐを搬送する複数の搬送ロール３２が備えられている。
【００２７】
〔画像形成部〕
画像形成部２０には、イエロー（Ｙ）、マゼンタ（Ｍ）、シアン（Ｃ）、ブラック（Ｋ）の４つの画像形成ユニット１８Ｙ、１８Ｍ、１８Ｃ、１８Ｋが備えられている。なお、以後の説明では、Ｙ、Ｍ、Ｃ、Ｋを区別して説明する必要が無い場合は、Ｙ、Ｍ、Ｃ、Ｋを省略して記載することがある。
【００２８】
各色の画像形成ユニット１８は、筐体１０Ａに対して夫々着脱可能とされている。そして、各色の画像形成ユニット１８には、像保持体３６と、像保持体３６の表面を帯電する帯電ロール３８と、帯電された像保持体３６に露光光を照射する露光装置４２とが備えられている。さらに、各色の画像形成ユニット１８には、前述した露光装置４２が帯電された像保持体３６を露光することで形成された静電潜像を現像して、トナー画像として可視化する現像装置４０が備えられている。
【００２９】
また、画像形成部２０には、図中矢印Ａ方向に周回する無端状の転写ベルト２２と、各色の画像形成ユニット１８によって形成されたトナー画像を転写ベルト２２に転写する一次転写ロール４４とが備えられている。さらに、画像形成部２０には、転写ベルト２２に転写されたトナー画像をシート部材Ｐに転写する二次転写ロール４６と、トナー画像が転写されたシート部材Ｐを加熱・加圧してシート部材Ｐにトナー画像を定着する定着装置５０とが備えられている。
【００３０】
〔画像読取部〕
画像読取部６０は、図１６に示されるように、一枚の原稿Ｇの画像を読み取る際に原稿Ｇが載せられる第一透明板６２（所謂プラテンガラス）と、第一透明板６２の装置幅方向の一方（図中左方）に配置される第二透明板７２とを備えている。そして、第一透明板６２及び第二透明板７２は、画像読取部６０の筐体６０Ａの上部に嵌め込まれている。
【００３１】
この第一透明板６２及び第二透明板７２の上方には、第一透明板６２及び第二透明板７２を開放又は閉止する開閉カバー６６が配置されている。そして、開閉カバー６６の内部には、複数枚の原稿Ｇを開閉カバー６６内の搬送経路７０に沿って搬送して、第二透明板７２の上方の原稿読取位置Ｒを通過させる搬送装置６４（所謂ＡＤＦ装置）が備えられている。
【００３２】
また、筐体６０Ａの内部には、第一透明板６２に載せられた原稿Ｇの画像と、搬送装置６４によって原稿読取位置Ｒに搬送された原稿Ｇの画像とを読み取る画像読取装置１００が備えられている。さらに、画像読取部６０は、画像読取装置１００を装置幅方向に駆動する駆動装置７４を備えている。
【００３３】
駆動装置７４は、図１３、図１６に示されるように、装置幅方向（画像読取装置１００の移動方向）に延びるシャフト７６と、画像読取装置１００の筐体１１４の下面に取り付けられ、シャフト７６に摺動可能に支持される摺動部材７８とを備えている。
【００３４】
さらに、駆動装置７４は、モータ８０と、モータ８０から駆動力が伝達されて回転駆動する駆動プーリ８４と、従動回転する従動プーリ８６と、駆動プーリ８４及び従動プーリ８６に巻き掛けられている無端状の無端ベルト８２とを備えている。この駆動プーリ８４は、シャフト７６の一端に取り付けられ、従動プーリ８６は、シャフト７６の他端に取り付けられている。
【００３５】
摺動部材７８は、図１４に示されるように、筐体１１４の下面において装置奥行方向の中央側の部分に取り付けられている。この摺動部材７８は、図１２に示されるように、上下方向に延びて、無端ベルト８２の一部が嵌め込まれているスリット７８Ａと、装置幅方向から見て半円形でシャフト７６と摺動する摺動面７８Ｂとが形成されている。
【００３６】
また、筐体６０Ａには、図１４に示されるように、シャフト７６の両端側の部分を下方から支持する一対の支持部９０が、筐体６０Ａと一体的に形成されている。
【００３７】
なお、画像読取装置１００については、詳細を後述する。
【００３８】
（画像形成装置の作用）
画像形成装置１０では、次のようにして画像が形成される。
【００３９】
先ず、画像読取部６０が、原稿Ｇの画像を読みとる。具体的には、搬送装置６４によって搬送される原稿Ｇの画像を読み取る場合は、図１５に示されるように、画像読取装置１００は、モータ８０（図１４参照）の駆動力が無端ベルト８２を介して伝達され、装置幅方向の他方側の搬送読取位置に移動して停止する。そして、搬送読取位置に配置された画像読取装置１００が、搬送装置６４によって搬送される原稿Ｇの画像を読み取る。
【００４０】
これに対して、第一透明板６２に載せられた原稿Ｇの画像を読み取る場合は、図１６に示されるように、読取開始位置（図中実線）に配置されている画像読取装置１００は、原稿Ｇの画像を読み取りながら、第一透明板６２に沿って読取終了位置（図中二点鎖線）へ向けて装置幅方向に移動する。
【００４１】
続いて、画像読取部６０で読み取られた画像情報に基づいて露光装置４２は、帯電ロール３８によって帯電した各色の像保持体３６の表面に露光光を照射して静電潜像を形成する（図１７参照）。
【００４２】
これにより、データに対応した静電潜像が各色の像保持体３６の表面に形成される。さらに、各色の現像装置４０は、この静電潜像を現像し、トナー画像として可視化する。また、各色の像保持体３６の表面に形成されたトナー画像が、一次転写ロール４４によって転写ベルト２２に転写される。
【００４３】
そこで、収容部材２６から送出ロール３０によって搬送経路２８へ送り出されたシート部材Ｐが、転写ベルト２２と二次転写ロール４６とが接触する転写位置Ｔへ送り出される。転写位置Ｔでは、シート部材Ｐが転写ベルト２２と二次転写ロール４６との間で搬送されることで、転写ベルト２２の表面のトナー画像は、シート部材Ｐに転写される。
【００４４】
シート部材Ｐに転写されたトナー画像は、定着装置５０によってシート部材Ｐに定着される。そして、トナー画像が定着したシート部材Ｐは、搬送ロール３２によって筐体１０Ａの外部へ排出される。
【００４５】
（要部構成）
次に、画像読取装置１００について説明する。
【００４６】
画像読取装置１００（図１１参照）は、既知のＣＩＳ（Ｃｏｎｔａｃｔ  Ｉｍａｇｅ  Ｓｅｎｓｏｒ）方式を用いて原稿Ｇ（対象物）に形成された画像を読み取るようになっている。そして、画像読取装置１００は、図９に示されるように、受光基板１０２と、受光基板１０２と接続されている一対の配線ケーブル１０４と、配線ケーブル１０４に夫々接続されている剛性基板１０６とを備えている。さらに、画像読取装置１００は、剛性基板１０６に実装されている発光素子１２８と、円柱状とされている一対の導光体１１０（ライトガイド）と、直方体状のロッドレンズアレイ１１２と、筐体１１４とを備えている。また、画像読取装置１００は、導光体１１０を、導光体１１０の長手方向から挟むように配置されている一対の押付部材１２０と、筐体１１４の上面を覆うガラス板１２２とを備えている。ロッドレンズアレイ１１２は、案内部材の一例である。
【００４７】
そして、筐体１１４、導光体１１０、発光素子１２８、剛性基板１０６、及び押付部材１２０を含んで、原稿Ｇに向けて光を照射する発光装置１８０が構成されている。
【００４８】
〔筐体１１４〕
筐体１１４は、図９に示されるように、装置奥行方向に延びる箱状とされている。そして、筐体１１４には、図８に示されるように、一対の導光体１１０が夫々収容されている一対の導光体収容部１１４Ａと、一対の導光体収容部１１４Ａの間に、ロッドレンズアレイ１１２が収容されているレンズ収容部１１４Ｂとが形成されている。さらに、筐体１１４には、剛性基板１０６、及び押付部材１２０の一部が収容されている一対の基板収容部１１４Ｃが、図９に示されるように、装置奥行方向から導光体収容部１１４Ａを挟むように形成されている。
【００４９】
−導光体収容部−
導光体収容部１１４Ａは、図８、図９に示されるように、装置幅方向に並んで一対形成さており、夫々の導光体収容部１１４Ａは、装置奥行方向に延びている。さらに、夫々の導光体収容部１１４Ａの長手方向に交差した断面は、上方が開口された半円状とされている。
【００５０】
−レンズ収容部−
レンズ収容部１１４Ｂは、図８に示されるように、装置幅方向において、一対の導光体収容部１１４Ａの間に形成されており、上下方向に筐体１１４の一部を貫通している。そして、レンズ収容部１１４Ｂには、ロッドレンズアレイ１１２の下面の装置幅方向の端部を支持する一対の突起１１６が形成されている。
【００５１】
−基板収容部−
基板収容部１１４Ｃは、図９に示されるように、導光体収容部１１４Ａに対して、装置奥行方向の奥側、及び手前側に一対形成されている。具体的には、基板収容部１１４Ｃは、図１に示されるように、筐体１１４の装置奥行方向の両端の壁部１１９と、導光体収容部１１４Ａとの間に形成されており、基板収容部１１４Ｃの下方には、押付部材１２０の下端に下方から接触するフランジ１１８が形成されている。
【００５２】
−その他−
筐体１１４の上部には、図１、図８に示されるように、ガラス板１２２の縁部を下方から支持している段部１１５が形成されている。また、筐体１１４の下部には、図８に示されるように、受光基板１０２の上面と接触しているザグリ面１１７が形成されている。
【００５３】
〔導光体１１０〕
導光体１１０は、図８に示されるように、筐体１１４の導光体収容部１１４Ａに収容されており、透明な材料（例えば、アクリル樹脂）によって、装置奥行方向に延びる円柱状に形成されている。そして、導光体１１０は、装置幅方向に並んで一対設けられている。装置奥行方向は、一方向の一例であって、装置幅方向は、交差方向の一例である。
【００５４】
導光体１１０は、導光体収容部１１４Ａにおいて円弧状に形成されている部分に配置され、装置奥行方向に伸縮可能に筐体１１４に図示せぬ固定部によって固定されている。具体的には、導光体１１０の装置奥行方向の中央部が筐体１１４に形成された固定部によって導光体１１０の径方向から挟まれることで、導光体１１０は、装置奥行方向（導光体の長手方向）に両端側が伸縮可能に筐体１１４に固定されている。そして、導光体１１０が筐体１１４に固定された状態で、導光体１１０の端面１１０Ａと、筐体１１４の壁部１１９とは、離間している（図１参照）。
【００５５】
また、導光体１１０には、導光体１１０の端面１１０Ａから入射した光を、長手方向に進行させると共に、ロッドレンズアレイ１１２の上方に向けて（図中矢印Ｂ方向）に光を出射させる反射部材（図示省略）が設けられている。
【００５６】
〔ロッドレンズアレイ１１２〕
ロッドレンズアレイ１１２は、図８に示されるように、筐体１１４のレンズ収容部１１４Ｂに収容されており、ロッドレンズアレイ１１２の外形は、装置奥行方向に延びる直方体状に形成されている。そして、ロッドレンズアレイ１１２には、上下に延びているロッドレンズ（図示省略）が装置奥行方向に並んで複数形成されている。さらに、ロッドレンズアレイ１１２は、下面の装置幅方向の端部が突起１１６に支持されており、図示せぬ固定手段で筐体１１４に固定されている。この状態で、ロッドレンズアレイ１１２の長手方向の両端部と、筐体１１４の壁部１１９とは、離間している（図１参照）。
【００５７】
〔受光基板１０２〕
受光基板１０２は、図８に示されるように、板厚方向が上下方向とされ、筐体１１４の下端部に配置されている。そして、受光基板１０２の上面が筐体１１４のザグリ面１１７と接触した状態で、受光基板１０２は、図示せぬ固定手段で筐体１１４に固定されている。
【００５８】
この受光基板１０２は、上方から見て、装置奥行方向に延びる矩形状とされている。また、受光基板１０２の上面には、複数の受光素子１２６が、装置奥行に並んで実装されている。さらに、受光基板１０２に実装されている受光素子１２６は、上下方向でロッドレンズアレイ１１２と対向している（図８参照）。
【００５９】
〔配線ケーブル１０４〕
配線ケーブル１０４は、一対設けられ、図９に示されるように、受光基板１０２の装置奥行方向の両端部に基端が接続されている所謂フレキシブルフラットケーブル（Ｆｌｅｘｉｂｌｅ  Ｆｌａｔ  Ｃａｂｌｅ）である。一方の配線ケーブル１０４の基端は、受光基板１０２の装置奥行方向の奥側（図中左側）の端部と接続されており、他方の配線ケーブル１０４の基端は、受光基板１０２の装置奥行方向の手前側（図中右側）の端部と接続されている。
【００６０】
〔剛性基板１０６〕
剛性基板１０６は、一対設けられ、図９に示されるように、配線ケーブル１０４の先端と接続されている。そして、剛性基板１０６は、所謂フレキシブルプリント基板（Ｆｌｅｘｉｂｌｅ  Ｐｒｉｎｔｅｄ  Ｃｉｒｃｕｉｔｓ）である本体部１０６Ａと、本体部１０６Ａに重ねられた厚さ１〔ｍｍ〕のアルミニウム板の放熱板１０６Ｂとを含んで構成されている。また、一対の剛性基板１０６は、板厚方向が装置奥行方向とされており、装置奥行方向に離間している。そして、一対の剛性基板１０６の本体部１０６Ａが、装置奥行方向で対向している。
【００６１】
この剛性基板１０６は、装置奥行方向から見て装置幅方向に延びている矩形状とされている。また、夫々の剛性基板１０６の一方の面（互いに対向する面）には、装置幅方向に並ぶＬＥＤ（Ｌｉｇｈｔ  Ｅｍｉｔｔｉｎｇ  Ｄｉｏｄｅ）１２８（以下「発光素子１２８」）が、２個実装されている。
【００６２】
そして、剛性基板１０６は、図１に示されるように、導光体１１０の端面１１０Ａと対向した状態で、筐体１１４の基板収容部１１４Ｃに収容されている。この状態で、剛性基板１０６の下端の一部は、筐体１１４に支持され、剛性基板１０６は、筐体１１４に対して装置奥行方向に移動可能とされている。
【００６３】
ここで、「剛性基板１０６」とは、図１０に示されるように、幅１０〔ｍｍ〕の基板（又は基板と同じ材料）を片持ち状態に支持し、支持端から１０〔ｍｍ〕の部位を上方から９．８〔Ｎ〕の力Ｆで押して、押した部位のたわみ量Ｄが１〔ｍｍ〕よりも小さくなる基板である。
【００６４】
〔発光素子１２８〕
発光素子１２８は、図６に示されるように、光を照射する（発光する）複数の発光チップ１４０と、発光チップ１４０を封止する封止部材１５０と、発光チップ１４０及び封止部材１５０を支持する支持部材１４２と、複数のワイヤー１５４とを備えている。ここで、「封止」とは、発光チップ１４０を保護するために、絶縁材で発光チップ１４０を覆うことである。発光チップ１４０は、発光部の一例である。
【００６５】
−支持部材１４２−
支持部材１４２は、発光チップ１４０を挟んで導光体１１０の反対側に配置され、導光体１１０の端面１１０Ａ側が開口した凹状とされている。そして、支持部材１４２は、一例として、ヤング率が２０００〔ＭＰａ〕のポリスチレン樹脂を用いて形成されている。
【００６６】
さらに、支持部材１４２は、導光体１１０の長手方向（装置奥行方向）から見て、図７に示されるように、矩形状とされ、一辺の長さが導光体１１０の直径と同様とされている。
【００６７】
具体的には、支持部材１４２は、図６、図７に示されるように、剛性基板１０６と接触している矩形状の底板１４２Ａと、底板１４２Ａの各辺から導光体１１０の端面１１０Ａ側に夫々突出している突出板１４２Ｂとを有している。この底板１４２Ａには、図示せぬ電気回路が形成されている。さらに、底板１４２Ａにおいて剛性基板１０６側の部分には、剛性基板１０６に形成された図示せぬ端子と電気的に接続されている複数の端子１６０が形成されている。突出板１４２Ｂは、突出部の一例である。
【００６８】
そして、押付部材１２０（図１参照）が剛性基板１０６を介して発光素子１２８を導光体１１０の端面１１０Ａに押し付けた状態で、図７に示されるように、夫々の突出板１４２Ｂの先端において各辺の長手方向の中央側の部分だけが、導光体１１０の端面１１０Ａと接触するようになっている。つまり、突出板１４２Ｂの先端と、導光体１１０の端面１１０Ａとは、端面１１０Ａの周方向において同様の間隔で接触している。そして、夫々の突出板１４２Ｂの先端において各辺の長手方向の端部側の部分は、導光体１１０の端面１１０Ａと離間している。
【００６９】
−発光チップ１４０、ワイヤー１５４−
発光チップ１４０は、複数設けられ、支持部材１４２の底板１４２Ａにおいて導光体１１０の端面１１０Ａ側に夫々取り付けられている。夫々の発光チップ１４０は、同様の形状で、直方体状とされている。また、発光チップ１４０の高さは、支持部材１４２の突出板１４２Ｂの高さと比して低くされている。そして、ワイヤー１５４は、底板１４２Ａに形成された図示せぬ電気回路と、発光チップ１４０とを電気的に接続している。
【００７０】
−封止部材１５０−
封止部材１５０は、一例として、ヤング率が１〔ＭＰａ〕の透明なシリコン樹脂を用いて形成されている。つまり、封止部材１５０には、支持部材１４２に用いられる樹脂材料と比して、ヤング率の小さい樹脂材料が用いられている。
【００７１】
そして、図６に示されるように、突出板１４２Ｂの先端が導光体１１０の端面１１０Ａと接触した状態で、封止部材１５０は、導光体１１０の端面１１０Ａと離間するようになっている。これにより、封止部材１５０と導光体１１０の端面１１０Ａとの間には、空隙１６４が形成されている。
【００７２】
また、前述したように、夫々の突出板１４２Ｂの先端において長手方向の端部側の部分は、導光体１１０と離間している。これにより、夫々の突出板１４２Ｂの先端において長手方向の端部側の部分と導光体１１０との間には、空隙１６４と発光素子１２８の外部とをつなぐ隙間１６６（図７参照）が複数形成されている。そして、この隙間１６６は、端面１１０Ａの周方向において同様の間隔で配置されている。
【００７３】
〔押付部材１２０〕
押付部材１２０は、一対設けられ、図９、図１１に示されるように、導光体１１０に対して装置奥行方向の両側に夫々配置されている。この押付部材１２０は、図４に示されるように、装置幅方向から見てＬ字状とされている。そして、押付部材１２０は、板厚方向を上下方向とした天板１３０と、天板１３０の下面１３０Ａに一体的に固定され、剛性基板１０６と、筐体１１４の壁部１１９との間に配置されている本体部１３２とを有している（図１参照）。
【００７４】
この本体部１３２は、上端部が天板１３０の下面１３０Ａに固定されて下方に延び、下端部が、装置奥行方向から見て装置幅装置に延びたＴ字状のＴ字部１３２Ａと、Ｔ字部１３２Ａの下端部において装置幅方向に延びた部分に夫々固定されている一対の片持ち状の片持部１３２Ｂとを有している。
【００７５】
一対の片持部１３２Ｂは、上下方向に延びて装置幅方向に並んでおり、片持部１３２Ｂの下端部が固定端とされ、片持部１３２Ｂの上端部が自由端とされている。また、一対の片持部１３２Ｂの上端部は、Ｔ字部１３２Ａに比して、剛性基板１０６側（図１参照）に張り出している。そして、片持部１３２Ｂは、片持部１３２Ｂの張出方向に弾性変形可能とされている。これにより、夫々の片持部１３２Ｂの上端部は、剛性基板１０６と接触するようになっている。
【００７６】
また、Ｔ字部１３２Ａにおける下方側の部分には、剛性基板１０６側（図１参照）に突出した突起１３６が形成されている。そして、Ｔ字部１３２Ａは、突起１３６の突出方向に弾性変形可能とされている。これにより、突起１３６の先端は、剛性基板１０６と接触するようになっている。
【００７７】
さらに、この押付部材１２０は、導光体１１０、ロッドレンズアレイ１１２、及び受光基板１０２が筐体１１４に収容され、また、剛性基板１０６が筐体１１４に収容された後に、筐体１１４の上方から筐体１１４に収容されるようになっている。また、押付部材１２０は、図１に示されるように、本体部１３２の下端が筐体１１４のフランジ１１８と接触して、筐体１１４に収容されるようになっている。
【００７８】
そして、筐体１１４に収容された押付部材１２０の天板１３０の下面１３０Ａが、上方から、導光体１１０の端部、及び発光素子１２８の端面と接触するようになっている。このようにして、天板１３０の下面１３０Ａが、上下方向において、導光体１１０及び発光素子１２８を、筐体１１４に位置決めするようになっている。
【００７９】
ここで、図３に示されるように、装置幅方向（交差方向の一例）において一対の導光体１１０の中間点Ｃ１を通り、かつ、装置幅方向を向く面を基準面Ｍ１とする。そうすると、押付部材１２０が筐体１１４に収容された状態で、一方の片持部１３２Ｂの上端部が剛性基板１０６と接触する接触部１３８Ａと、他方の片持部１３２Ｂの上端部が剛性基板１０６と接触する接触部１３８Ｂとは、基準面Ｍ１に対して対称に配置されている。なお、中間点とは、一方の導光体１１０と他方の導光体１１０との間に位置し、かつ、両方の導光体１００から同じ距離に位置する点である。
【００８０】
また、突起１３６の先端が剛性基板１０６と接触する接触部１３９は、基準面Ｍ１上に配置されている。そして、装置奥行方向から見て、接触部１３８Ａ、接触部１３８Ｂ、及び接触部１３９を結ぶ線分によって、二等辺三角形が形成されている。このように、押付部材１２０は、接触部１３８Ａと、接触部１３８Ｂと、接触部１３８Ａと接触部１３８Ｂとを通る直線からずれている接触部１３９との三部位（三点）で、剛性基板１０６と接触している。
【００８１】
この構成において、図１、図５に示されるように、一対の片持部１３２Ｂの上端部が剛性基板１０６と夫々接触し、一対の片持部１３２Ｂは、撓んでいる（弾性変形している）。また、突起１３６の先端が剛性基板１０６と接触し、Ｔ字部１３２Ａは、撓んでいる（弾性変形している）。このように、片持部１３２Ｂ及びＴ字部１３２Ａが撓むことで、押付部材１２０は、剛性基板１０６を介して発光素子１２８を導光体１１０の端面１１０Ａに押し付けている。
【００８２】
〔ガラス板〕
ガラス板１２２は、図９に示されるように、板厚方向が上下方向とされ、上方から見て、装置奥行方向に延びる矩形状とされている。そして、ガラス板１２２は、図８に示されるように、ガラス板１２２の縁部が筐体１１４の段部１１５と接触した状態で、図示せぬ固定手段で筐体１１４に固定され、筐体１１４の上面を覆うように配置されている。
【００８３】
（作用）
次に、画像読取装置１００の作用を説明する。
【００８４】
発光装置１８０の発光素子１２８は、導光体１１０の端面１１０Ａに光を照射する（図１参照）。これにより、発光装置１８０の導光体１１０の端面１１０Ａから光が入射して、導光体１１０は、入射した光を、導光体１１０の長手方向に導く。また、導光体１１０は、図８に示されるように、ロッドレンズアレイ１１２の上方に向けて（図中矢印Ｂ方向）光を出射する。
【００８５】
さらに、ロッドレンズアレイ１１２は、導光体１１０から出射して原稿Ｇに照射され、原稿Ｇから反射した反射光を受光素子１２６に案内する（集光する）。このようにして、受光素子１２６が、原稿Ｇから反射した反射光を、受光して電気信号に変換する。
【００８６】
−第１比較形態に係る発光装置２８０との比較−
次に、第１比較形態に係る発光装置２８０と比較しつつ、発光装置１８０の作用について説明する。先ず、発光装置２８０の構成について、発光装置１８０と異なる部分を主に説明する。
【００８７】
図１８（Ａ）に示されるように、発光装置２８０は、発光装置１８０と異なり、押付部材１２０を備えていない。発光装置２８０の筐体１１４には、剛性基板１０６の下端部を装置奥行方向から挟む挟持部２１６が形成されている。このように、剛性基板１０６の下端部は、装置奥行方向において、挟持部２１６によって筐体１１４に対して位置決めされている。
【００８８】
この構成において、発光装置２８０が配置されている空間の温度が２０〔℃〕の場合には、図１８（Ａ）に示されるように、発光素子１２８及び剛性基板１０６は、導光体１１０の端面１１０Ａに対して傾くことなく、発光素子１２８が導光体１１０の端面１１０Ａと接触する。つまり、発光素子１２８が、導光体１１０に対して設計の狙い通りの位置に配置される。
【００８９】
また、発光装置２８０が配置されている空間の温度が高温（例えば、３０〔℃〕）になった場合には、図１８（Ｂ）に示されるように、導光体１１０が装置奥行方向に伸びる。これにより、発光素子１２８及び剛性基板１０６は、導光体１１０に押されて、導光体１１０の端面１１０Ａに対して傾く。発光素子１２８が傾くことで、発光素子１２８の上端が導光体１１０の端面１１０Ａから離間する。
【００９０】
また、発光装置２８０が配置されている空間の温度が低温（例えば、１０〔℃〕）になった場合には、図１８（Ｃ）に示されるように、導光体１１０が装置奥行方向に縮む。これにより、発光素子１２８が導光体１１０の端面１１０Ａから離間し、発光素子１２８の重心のバランスにより、発光素子１２８及び剛性基板１０６は、導光体１１０の端面１１０Ａに対して傾く。発光素子１２８が傾くことで、発光素子１２８の下端が導光体１１０の端面１１０Ａから離間する。
【００９１】
このように、発光装置２８０の導光体１１０が伸縮した場合には、発光素子１２８が、導光体１００の端面１１０に対して傾いてしまう。換言すれば、発光素子１２８の光軸が導光体１１０の軸に対して傾いてしまう。このため、発光素子１２８から照射された光の一部が導光体１１０の端面１１０Ａに入射されない。そこで、原稿Ｇに照射される光量が不足してしまうため、画像読取装置１００では、原稿Ｇの画像を読み取る読取精度が低くなる。
【００９２】
これに対して、発光装置１８０では、図１、図５に示されるように、片持部１３２Ｂ及びＴ字部１３２Ａが撓むことで、押付部材１２０が、剛性基板１０６を介して発光素子１２８を導光体１１０の端面１１０Ａに押し付けている。さらに、剛性基板１０６は、筐体１１４に対して装置奥行方向に移動可能とされている。このため、図２（Ａ）に示されるように、導光体１１０が伸びた場合でも、及び図２（Ｂ）に示されるように、導光体１１０が縮んだ場合でも、発光素子１２８が導光体１１０の端面１１０Ａに対して傾くのが抑制される。換言すれば、発光素子１２８の光軸が導光体１１０の軸に対して傾いてしまうのが抑制される。
【００９３】
−第２比較形態に係る発光装置３８０との比較−
次に、第２比較形態に係る発光装置３８０と比較しつつ、発光装置１８０の作用について説明する。先ず、発光装置３８０の構成について、発光装置１８０と異なる部分を主に説明する。
【００９４】
図１９に示されるように、発光装置３８０の発光素子３２８は、発光装置１８０の発光素子１２８と異なり、突出板１４２Ｂを有する支持部材１４２を備えていない。発光素子３２８の支持部材３４２は、剛性基板１０６と接触している矩形状の底板３４２Ａのみを有している。
【００９５】
この構成において、押付部材１２０が、剛性基板１０６を介して発光素子３２８を導光体１１０の端面１１０Ａに押し付けている。これにより、押付部材１２０によって押し付けられた発光素子３２８の封止部材１５０が、導光体１１０の端面１１０Ａと接触する。そして、発光素子３２８の封止部材１５０が、導光体１１０の端面１１０Ａに押し付けられる。このため、封止部材１５０が変形してワイヤー１５４が断線してしまい、発光チップ１４０の発光不良が発生してしまうことがある。
【００９６】
これに対して、発光装置１８０の発光素子１２８では、図６に示されるように、発光素子１２８の支持部材１４２が突出板１４２Ｂを有することで、押付部材１２０によって押し付けられた発光素子１２８の突出板１４２Ｂの先端が、導光体１１０の端面１１０Ａと接触する。そして、発光素子１２８の突出板１４２Ｂが、導光体１１０の端面１１０Ａに押し付けられる。これにより、封止部材１５０と導光体１１０の端面１１０Ａとの間には、空隙１６４が形成される。
【００９７】
（まとめ）
以上説明したように、発光装置１８０においては、温度変化等によって導光体１１０が伸縮した場合でも、押付部材１２０を備えていることで、第１比較形態の発光装置２８０と比して、発光素子１２８が導光体１１０の端面１１０Ａに対して傾くのが抑制される。
【００９８】
また、押付部材１２０は、剛性基板１０６と三部位で接触して、剛性基板１０６を介して導光体１１０の端面１１０Ａに発光素子１２８を夫々押し付けている。このため、押付部材が、剛性基板１０６と一部位又は二部位で接触している場合と比して、発光素子１２８が導光体１１０の端面１１０Ａに対して傾くのが抑制される。
【００９９】
また、一方の片持部１３２Ｂが剛性基板１０６と接触する接触する接触部１３８Ａと、他方の片持部１３２Ｂが剛性基板１０６と接触する接触する接触部１３８Ｂとは、基準面Ｍ１に対して対称に配置されている（図３参照）。このため、全ての接触部が、基準面Ｍ１に対して一方側に配置されている場合と比して、発光素子１２８が導光体１１０の端面１１０Ａに対して傾くのが抑制される。
【０１００】
また、発光素子１２８が導光体１１０の端面１１０Ａに対して傾くのが抑制されることで、発光素子１２８から照射された光の一部が導光体１１０の端面１１０Ａから漏れる（入射されない）のが抑制され、原稿Ｇに照射される光量が不足するのが抑制される。
【０１０１】
また、押付部材１２０が筐体１１４に収納されている状態で、押付部材１２０の天板１３０の下面１３０Ａが、上方から、導光体１１０の端部に接触している。これにより、天板１３０の下面１３０Ａが、上下方向において、導光体１１０を筐体１１４に位置決めしている。そして、発光装置１８０では、押付部材１２０とは別に、導光体１１０を筐体１１４に位置決めする位置決め部材を設ける場合と比して、部品点数が削減される。
【０１０２】
また、発光装置１８０が導光体１１０の端面１１０Ａに押し付けられた状態で、封止部材１５０と導光体１１０の端面１１０Ａとの間には、空隙１６４が形成されている（図６参照）。このため、第２比較形態の発光装置３８０と比して、封止部材１５０の変形が抑制される。
【０１０３】
また、封止部材１５０の変形が抑制されることで、発光装置３８０と比して、ワイヤー１５４が断線してしまうのが抑制される。
【０１０４】
また、ワイヤー１５４の断線が抑制されることで、発光装置３８０を用いる場合と比して、発光チップ１４０の発光不良が抑制される。
【０１０５】
また、発光装置１８０には、封止部材１５０と導光体１１０の端面１１０Ａとの間に形成された空隙１６４と発光素子１２８の外部とをつなぐ隙間１６６（図７参照）が形成されている。このため、発光チップ１４０が発光することで熱せられた空気が、空隙１６４から隙間１６６を通って、発光素子１２８の外部に放出される。これにより、発光チップ１４０が発光することで生じた熱を外部に放出する隙間１６６が形成されていない場合（空隙１６４が閉じられている場合）と比して、発光チップ１４０の温度上昇が抑制される。
【０１０６】
また、発光チップ１４０の温度上昇が抑制されることで、発光チップ１４０が発光することで生じた熱を外部に放出する隙間１６６が形成されていない場合と比して、発光チップ１４０が発光した光の光量の変化が抑制される。
【０１０７】
また、画像読取装置１００においては、発光装置２８０を備える場合と比して、原稿Ｇに照射される光量不足に起因して、原稿Ｇの画像を読み取る読取精度が低くなるのが抑制される。
【０１０８】
また、画像読取装置１００においては、発光装置３８０を備える場合と比して、原稿Ｇに照射される光量変化に起因して、原稿Ｇの画像を読み取る読取精度が低くなるのが抑制される。
【０１０９】
また、画像形成装置１０においては、原稿Ｇの画像を読み取る読取精度が低くなるのが抑制されることで、発光装置２８０、３８０を備える場合と比して、出力画像の品質が低くなるのが抑制される。
【０１１０】
＜第２実施形態＞
本発明の第２実施形態に係る発光装置、画像読取装置、及び画像形成装置の一例を図２０に従って説明する。なお、第２実施形態については、第１実施形態と異なる部分を主に説明する。
【０１１１】
第２実施形態に係る発光装置５８０の押付部材５２０は、板厚方向を上下方向とした天板１３０と、天板１３０の下面１３０Ａに固定され、剛性基板１０６と、筐体１１４の壁部１１９（図１参照）との間に配置されている本体部５３２とを有している。
【０１１２】
この本体部５３２は、上端部が天板１３０の下面１３０Ａに固定されて下方に延び、下端部が装置幅装置に延びたＴ字状のＴ字部５３２Ａと、Ｔ字部５３２Ａの下端部において装置幅方向に延びた部分に夫々固定されている一対の片持部５３２Ｂとを有している。
【０１１３】
一対の片持部５３２Ｂは、上下方向に延び装置幅方向に並んでおり、片持部５３２Ｂの下端部が固定端とされ、片持部５３２Ｂの上端部が自由端とされている。また、一対の片持部５３２Ｂの上端部は、剛性基板１０６と接触する接触部５３８Ａ、５３８Ｂを形成している。そして、接触部５３８Ａは、装置奥行方向から見て、一方の導光体１１０の端面１１０Ａにおける縁の内側に配置されており、接触部５３８Ｂは、装置奥行方向から見て、他方の導光体１１０の端面１１０Ａにおける縁の内側に配置されている。
【０１１４】
さらに、一対の片持部５３２Ｂの上端部は、Ｔ字部５３２Ａに比して、剛性基板１０６側（図１参照）に張り出しており、張出方向に弾性変形可能とされている。また、Ｔ字部５３２Ａの下方側の部分には、剛性基板１０６側に突出した突起１３６が形成されている。
【０１１５】
この構成において、一対の片持部５３２Ｂの上端部が剛性基板１０６と夫々接触し、一対の片持部５３２Ｂは、撓んでいる（弾性変形している）。また、突起１３６の先端が剛性基板１０６と接触し、Ｔ字部５３２Ａは、撓んでいる（弾性変形している）。このように、片持部５３２Ｂ及びＴ字部５３２Ａが撓むことで、押付部材５２０は、剛性基板１０６を介して発光素子１２８を導光体１１０の端面１１０Ａに押し付けている。
【０１１６】
ここで、接触部５３８Ａは、装置奥行方向から見て、一方の導光体１１０の端面１１０Ａにおける縁の内側に配置されており、接触部５３８Ｂは、装置奥行方向から見て、他方の導光体１１０の端面１１０Ａにおける縁の内側に配置されている。このため、一対の接触部が夫々の導光体１１０の端面１１０Ａにおける縁の外側に配置されている場合と比して、剛性基板１０６が撓むのを抑制した上で、発光素子１２８が導光体１１０の端面１１０Ａに対して傾くのが抑制される。
【０１１７】
第２実施形態の他の作用は、第１実施形態の作用と同様である。
【０１１８】
なお、本発明を特定の実施形態について詳細に説明したが、本発明は係る実施形態に限定されるものではなく、本発明の範囲内にて他の種々の実施形態をとることが可能であることは当業者にとって明らかである。例えば、上記実施形態では、剛性基板１０６は、所謂フレキシブルプリント基板である本体部１０６Ａと、厚さ１〔ｍｍ〕のアルミニウム板である放熱板１０６Ｂとを含んで構成されたが、ガラスエポキシ基板や金属基板のように前述した剛性基板の定義を満たしている基板であればよい。
【０１１９】
また、上記実施形態では、押付部材１２０、５２０は、三部位で剛性基板１０６と接触したが、押付部材が剛性基板１０６を介して発光素子１２８を導光体１１０の端面１１０Ａに押し付ければよく、押付部材が二部位以下で剛性基板と接触してもよい。しかし、この場合には、三部位で剛性基板１０６と接触することで奏する作用は奏しない。
【０１２０】
また、上記実施形態では、押付部材１２０、５２０は、三部位で剛性基板１０６と接触したが、図２１に示されるように、Ｔ字状の本体部に２個の突起２３６を形成させてもよく、押付部材が、剛性基板１０６と三部位以上で接触してもよい。
【０１２１】
また、上記実施形態では、導光体１１０の長手方向の両側に、発光素子１２８が配置されたが、導光体１１０の一方側だけに発光素子１２８が配置されてもよい。
【０１２２】
また、上記実施形態では、受光基板１０２と剛性基板１０６を、配線ケーブル１０４を介して接続する画像読取装置１００を示したが、剛性基板１０６の本体部１０６Ａに配線ケーブルの機能を持たせ、受光基板１０２と本体部とを直接、接続する構成であっても良い。
【０１２３】
また、上記実施形態では、突出板１４２Ｂは、底板１４２Ａの各辺から導光体１１０の端面１１０Ａ側に夫々突出したが、例えば、突出部が、底板１４２Ａの中央側の部分から導光体１１０の端面１１０Ａ側に突出していてもよい。封止部材１５０と、導光体１１０の端面１１０Ａとの間に、空隙が形成されていればよい。
【０１２４】
また、上記実施形態では、発光チップ１４０が発光することで生じた熱を外部に放出する隙間１６６が形成されているが、隙間は、突出板を切り欠くことで形成されてもよく、また、隙間１６６が形成されていなくてもよい。隙間が形成されない場合には、隙間１６６が形成されることで奏する作用は奏しない。
【０１２５】
また、上記実施形態では、四色の感光体ドラムから中間転写に画像を転写する画像形成装置であったが、例えば、一色又は複数色の像保持体３６からシート部材Ｐに画像を直接転写する画像形成装置であてもよい。
【符号の説明】
【０１２６】
１０    画像形成装置
２０    画像形成部
１００        画像読取装置
１０６   剛性基板
１１０        導光体
１１０Ａ 端面
１１２        ロッドレンズアレイ（案内部材の一例）
１２０        押付部材
１２６        受光素子
１２８   発光素子
１３８Ａ 接触部
１３８Ｂ 接触部
１４０   発光チップ（発光部の一例）
１４２   支持部材
１４２Ｂ 突出板（突出部の一例）
１５０   封止部材
１６４   空隙
１６６   隙間
１８０   発光装置
５２０   押付部材
５３８Ａ 接触部
５３８Ｂ 接触部
５８０   発光装置
Ｃ１    中間点
Ｍ１    基準面
【図１】
2019114826.tif 000003
【図２】
2019114826.tif 000004
【図３】
2019114826.tif 000005
【図４】
2019114826.tif 000006
【図５】
2019114826.tif 000007
【図６】
2019114826.tif 000008
【図７】
2019114826.tif 000009
【図８】
2019114826.tif 000010
【図９】
2019114826.tif 000011
【図１０】
2019114826.tif 000012
【図１１】
2019114826.tif 000013
【図１２】
2019114826.tif 000014
【図１３】
2019114826.tif 000015
【図１４】
2019114826.tif 000016
【図１５】
2019114826.tif 000017
【図１６】
2019114826.tif 000018
【図１７】
2019114826.tif 000019
【図１８】
2019114826.tif 000020
【図１９】
2019114826.tif 000021
【図２０】
2019114826.tif 000022
【図２１】
2019114826.tif 000023